(57)【要約】【課題】本発明は、開口枠が柱から離間させて設けられていても、その開口枠を柱に好適に固定することができる壁構造を提供する。【解決手段】外壁部１１は、内壁パネル３２を有している。内壁パネル３２は、内壁面材４１と内壁下地４２とを有しており、内壁下地４２は、ランナ４３〜４６及びスタッド４７を有している。外壁部１１には、窓部１２が形成されており、窓部１２には窓枠５２が設けられている。外壁部１１においては、内壁面材４１よりも屋外側に柱１３が配置されており、窓枠５２は柱１３に横並びに配置されている。窓枠５２と柱１３との間には隙間が形成されており、複数のスタッド４７には、窓枠５２と柱１３との隙間に配置された隙間スタッド４７Ｂが含まれている。窓枠５２の縦枠部５２ａは隙間スタッド４７Ｂに固定されており、隙間スタッド４７Ｂは連結部材を介して柱１３に連結されている。【選択図】      図１
2014189983.tif 000002
【特許請求の範囲】
【請求項１】
柱を挟んで対向する一対の壁面材と、それら壁面材の間に設けられた複数のスタッドとを有する壁部に、壁開口部が設けられている建物の壁構造であって、
前記壁開口部には、縦枠部及び横枠部を有する開口枠が設けられており、
前記複数のスタッドには、前記柱と前記縦枠部の間の隙間に設けられ、該縦枠部に沿って延び、同縦枠部が固定された隙間スタッドが含まれており、
前記隙間スタッドは、連結部材を介して前記柱に連結されており、
前記連結部材は、前記隙間スタッドに固定されたスタッド側固定部と、前記柱に固定された柱側固定部とを有していることを特徴とする建物の壁構造。
【請求項２】
前記スタッド側固定部は、前記柱側固定部から壁厚み方向に延びていることで前記隙間スタッドと前記柱との間に入り込んでおり、その入り込んだ部分が前記隙間スタッドに固定されていることを特徴とする請求項１に記載の建物の壁構造。
【請求項３】
前記スタッド側固定部には、当該スタッド側固定部を前記隙間スタッドに固定するための固定孔が設けられており、
前記固定孔は、前記壁厚み方向に沿って延びている長孔であることを特徴とする請求項２に記載の建物の壁構造。
【請求項４】
前記壁面材は、壁厚み方向において前記柱から離間した位置に配置されており、
前記柱側固定部は、前記スタッド側固定部から壁幅方向に沿って延びていることで、前記柱と前記壁面材との離間部分に入り込んでおり、その入り込んだ部分が前記柱に固定されていることを特徴とする請求項１乃至３のいずれか１項に記載の建物の壁構造。
【請求項５】
前記複数のスタッドは、上下に配置された一対のランナの間に配置され、各ランナにおける一対のフランジの間に入り込んでおり、
前記複数のスタッドには、壁厚み方向における厚み寸法が前記隙間スタッドよりも大きい厚みスタッドが含まれており、
前記厚みスタッドは、前記ランナにおける前記一対のフランジの内側面のそれぞれに固定されており、
前記隙間スタッドは、前記ランナにおける前記一対のフランジの内側面のうち一方に固定されていることを特徴とする請求項１乃至４のいずれか１項に記載の建物の壁構造。
【請求項６】
前記壁部は、前記一対の壁面材の間に壁断熱部が設けられた外壁部であり、
前記壁断熱部は、前記隙間スタッドよりも屋外側において前記柱と前記縦枠部との間に入り込んだ状態で設けられていることを特徴とする請求項１乃至５のいずれか１項に記載の建物の壁構造。
【請求項７】
前記連結部材は、上下方向において所定間隔で複数設けられており、
各連結部材の前記スタッド側固定部は、前記壁断熱部よりも屋内側において、前記隙間スタッドと前記柱との間に入り込んでいることを特徴とする請求項６に記載の建物の壁構造。
【請求項８】
前記壁断熱部は、前記柱の屋外側に配置された柱側断熱部と、前記柱と前記縦枠部との間の隙間に入り込んでいる隙間断熱部とを有しており、
前記柱側断熱部と前記隙間断熱部とは、壁幅方向において横並びに配置され、互いに連続していることを特徴とする請求項６又は７に記載の建物の壁構造。
【発明の詳細な説明】
【技術分野】
【０００１】
本発明は、建物の壁構造に関するものである。
【背景技術】
【０００２】
住宅等の建物において、外壁等の壁部に窓部等の壁開口部が形成されている場合、その壁開口部に設けられた開口枠は柱や大梁等の建物躯体に対して取り付けられている。例えば、開口枠が柱に対して取り付けられている場合、開口枠の縦枠部が柱に横並びに配置され、縦枠部の側面と柱の側面とが重なった状態で、その縦枠部が柱にビス等により固定されている（例えば特許文献１参照）。
【先行技術文献】
【特許文献】
【０００３】
【特許文献１】特開２００５−３２０８５３号公報
【発明の概要】
【発明が解決しようとする課題】
【０００４】
ここで、開口枠が柱から離間した位置に配置された場合、縦枠部の側面は柱の側面から離間することになり、縦枠部を柱に直接固定することはできない。そこで、開口枠と柱との間にスタッドを設け、そのスタッドを介して開口枠の縦枠部を柱に固定することが考えられる。しかしながら、柱と開口枠との離間距離がスタッドの幅寸法よりも大きい場合、スタッドは柱及び開口枠の少なくとも一方から離間してしまうため、スタッドを柱及び開口枠の両方に直接固定するには、柱と開口枠との離間距離と同じ幅寸法を有するスタッドを使用する必要がある。この場合、複数種類のスタッドを用意しておき、柱と開口枠との離間距離に応じてスタッドを使い分ける方法が考えられるが、この方法では、コスト負担や作業負担が大きくなってしまう。
【０００５】
本発明は、上記事情に鑑みてなされたものであり、開口枠が柱から離間させて設けられていても、その開口枠を柱に好適に固定することができる壁構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の壁構造は、一対の壁面材とそれら壁面材の間に設けられた複数のスタッドとを有する壁部に壁開口部が設けられ、前記一対の壁面材の間には、前記複数のスタッドに加えて柱が設けられている建物の壁構造であって、前記壁開口部には、縦枠部及び横枠部を有する開口枠が設けられており、前記複数のスタッドには、前記柱と前記縦枠部の間の隙間に設けられ、該縦枠部に沿って延び、同縦枠部が固定された隙間スタッドが含まれており、前記隙間スタッドは、連結部材を介して前記柱に連結されており、前記連結部材は、前記隙間スタッドに固定されたスタッド側固定部と、前記柱に固定された柱側固定部とを有していることを特徴とする。
【０００８】
第１の発明によれば、柱と開口枠との間に配置された隙間スタッドが、連結部材を介して柱に固定されているため、仮に柱と開口枠との間の離間距離が隙間スタッドの幅寸法より大きくても、隙間スタッドをその側面が開口枠の縦枠部の側面に重なる位置に配置することで、その隙間スタッドを縦枠部及び柱の両方に固定することができる。つまり、隙間スタッドを介して縦枠部を柱に固定することができる。この場合、柱と開口枠との離間距離よりも幅寸法の小さい汎用品を隙間スタッドとして使用することが可能になるため、隙間スタッドについてのコスト負担や作業負担を低減することができる。したがって、開口枠が柱から離間させて設けられていても、その開口枠を柱に好適に固定することができる。
【０００９】
第２の発明では、第１の発明において、前記スタッド側固定部は、前記柱側固定部から壁厚み方向に延びていることで前記隙間スタッドと前記柱との間に入り込んでおり、その入り込んだ部分が前記隙間スタッドに固定されている。
【００１０】
第２の発明によれば、連結部材のスタッド側固定部が柱と隙間スタッドとの間に入り込んでいるため、そのスタッド側固定部を隙間スタッドと内壁面材との間に入り込ませる必要がない。このため、ビス等を用いて内壁面材を隙間スタッドに固定する場合に、そのビス等にスタッド側固定部を貫通させる必要がない。したがって、隙間スタッドへの内壁面材の固定作業に際してスタッド側固定部が支障になることを回避できる。
【００１１】
しかも、スタッド側固定部が壁厚み方向に沿って延びているため、隙間スタッドをスタッド側固定部に沿わせるように移動させることで、壁厚み方向における隙間スタッドの位置合わせ作業を容易に行うことができる。
【００１２】
第３の発明では、第２の発明において、前記スタッド側固定部には、当該スタッド側固定部を前記隙間スタッドに固定するための固定孔が設けられており、前記固定孔は、前記壁厚み方向に沿って延びている長孔である。
【００１３】
第３の発明によれば、スタッド側固定部においては、ビス等を打ち込むための固定孔が壁厚み方向に延びる長孔であるため、ビス等の打ち込み位置を、壁厚み方向における隙間スタッドの位置に合わせて設定することが容易になる。
【００１４】
第４の発明では、第１乃至第３のいずれかの発明において、前記壁面材は、壁厚み方向において前記柱から離間した位置に配置されており、前記柱側固定部は、前記スタッド側固定部から壁幅方向に沿って延びていることで、前記柱と前記壁面材との離間部分に入り込んでおり、その入り込んだ部分が前記柱に固定されている。
【００１５】
第４の発明によれば、柱側固定部が壁幅方向に沿って延びているため、その柱側固定部を柱の側面に沿わせるように移動させることで、壁幅方向における連結部材の位置合わせ作業を容易に行うことができる。また、この場合、連結部材のスタッド側固定部に固定される隙間スタッドについても、壁幅方向における位置合わせ作業を容易に行うことができる。
【００１６】
しかも、壁面材が柱から離間しているため、壁面材と柱との間に連結部材の柱側固定部が入り込んでいても、柱に対する壁面材の固定に際して柱側固定部が支障にはなりにくい。
【００１７】
第５の発明では、第１乃至第４のいずれかの発明において、前記複数のスタッドは、上下に配置された一対のランナの間に配置され、各ランナにおける一対のフランジの間に入り込んでおり、前記複数のスタッドには、壁厚み方向における厚み寸法が前記隙間スタッドよりも大きい厚みスタッドが含まれており、前記厚みスタッドは、前記ランナにおける前記一対のフランジの内側面のそれぞれに固定されており、前記隙間スタッドは、前記ランナにおける前記一対のフランジの内側面のうち一方に固定されている。
【００１８】
第５の発明では、ランナにおいては、一対のフランジのうち一方にしか隙間スタッドが固定されていないため、ランナに対する隙間スタッドの固定強度が不足していることが懸念される。したがって、隙間スタッドによる開口枠の支持強度を確保する上で、第１の発明のように隙間スタッドが連結部材を介して柱に固定されていることは効果的である。
【００１９】
第６の発明では、第１乃至第５のいずれかの発明において、前記壁部は、前記一対の壁面材の間に壁断熱部が設けられた外壁部であり、前記壁断熱部は、前記隙間スタッドよりも屋外側において前記柱と前記縦枠部との間に入り込んだ状態で設けられている。
【００２０】
第６の発明によれば、柱と開口枠との間が隙間スタッドを設置可能なほど離間している外壁部においても、それら柱と開口枠との間に屋外側から壁断熱部が入り込んでいるため、柱と開口枠との隙間により外壁部の断熱性能が低下するということを抑制できる。
【００２１】
第７の発明では、第６の発明において、前記連結部材は、上下方向において所定間隔で複数設けられており、各連結部材の前記スタッド側固定部は、前記壁断熱部よりも屋内側において、前記隙間スタッドと前記柱との間に入り込んでいる。
【００２２】
連結部材が上下に複数並べられた構成では、連結部材が柱と壁断熱部との間に入り込んでいると、上下に隣り合う連結部材の間において壁断熱部と柱との間に隙間が生じやすくなると考えられる。これに対して、第７の発明によれば、連結部材は柱と壁断熱部との間には入り込んでいないため、壁断熱部と柱との間に隙間が生じてその隙間により外壁部の断熱性能が低下するということを抑制できる。
【００２３】
第８の発明では、第６又は７の発明において、前記壁断熱部は、前記柱の屋外側に配置された柱側断熱部と、前記柱と前記縦枠部との間の隙間に設けられた隙間断熱部とを有しており、前記柱側断熱部と前記隙間断熱部とは、壁幅方向において横並びに配置され、互いに連続している。
【００２４】
第８の発明によれば、隙間断熱部及び柱側断熱部といった２つの断熱部が壁幅方向に並べて配置されているため、柱の屋外側に配置された１つの断熱部が柱と開口枠との間に入り込んでいる構成に比べて、断熱部が柱と開口枠との間においてそれら柱や開口枠の側面に密着しやすくなっている。したがって、壁断熱部による外壁部の断熱性能を高めることができる。
【図面の簡単な説明】
【００２５】
【図１】外壁部の正面図
【図２】図１のＡ−Ａ線断面図
【図３】連結部材の構成を示す図
【図４】別の外壁部の横断面図
【図５】別の外壁部の正面図
【図６】別の外壁部の横断面図
【発明を実施するための形態】
【００２６】
以下、本発明を具体化した一実施形態について図面を参照しつつ説明する。本実施形態では、本発明の壁構造を建物の外壁部において具体化している。図１は外壁部１１の正面図、図２は図１のＡ−Ａ線断面図である。なお、図１は、外壁部１１を屋内側から見た図であり、外壁部１１の内部構造を部分的に示す破断図になっている。
【００２７】
図１に示すように、建物の外壁部１１には、壁開口部としての窓部１２が設けられている。建物においては、複数の柱１３が外壁部１１に沿って所定間隔で設けられており、窓部１２は、隣り合う柱１３の間に配置されている。各柱１３は、屋内空間の床部１５と天井部１６とに掛け渡された状態になっている。
【００２８】
天井部１６は、天井下地材としての野縁２１と、野縁２１に取り付けられた天井面材２２とを有している。天井面材２２は、石膏ボード等により形成されており、野縁２１の下側に配置されている。野縁２１の上側には、野縁２１を支持する野縁受け２３が設けられている。野縁受け２３は、隣り合う柱１３に掛け渡された状態になっており、それら柱１３の上端部分の側面に固定されている。なお、野縁２１は、金具２４を介して野縁受け２３に連結されている。金具２４は、野縁２１及び野縁受け２３のそれぞれに対してビス等により固定されている。
【００２９】
図２に示すように、外壁部１１は、屋外側に設けられた外壁パネル３１と、屋内側に設けられた内壁パネル３２とを有している。外壁パネル３１は、窯業系サイディングボード等の外装材により形成された外壁面材３４と、外壁面材３４を支持する外壁下地としての外壁フレーム３５とを有している。外壁面材３４は、外壁フレーム３５の屋外側に配置されている。外壁フレーム３５は、外壁部１１の幅方向に延びる横フレーム材３６と、壁高さ方向に延びる縦フレーム材３７とを有している。これらフレーム材３６，３７は、いずれも外壁面材３４に沿って延びており、外壁面材３４の屋内側面に取り付けられている。
【００３０】
内壁パネル３２は、石膏ボード等の内装材により形成された内壁面材４１と、内壁面材４１を支持する内壁下地４２とを有している。内壁面材４１は、内壁下地４２の屋内側に配置されている。内壁下地４２は、外壁部１１の幅方向に延びる下地横材としてのランナ４３〜４６（ランナ４３，４５，４６は図１参照）と、外壁部１１の高さ方向に延びる下地縦材としてのスタッド４７とを有している。これらランナ４３〜４６及びスタッド４７は、いずれも内壁面材４１に沿って延びており、内壁面材４１の屋外側面に取り付けられている。
【００３１】
外壁部１１においては、外壁面材３４と内壁面材４１とが互いに対向する一対の壁面材となっている。外壁部１１は、外壁面材３４と内壁面材４１との間に設けられた壁断熱部４８を有している。壁断熱部４８は、内壁面材４１の屋外側面に沿って延びており、壁断熱部４８と外壁面材３４との間には壁内空間４９が設けられている。壁内空間４９は、外壁面材３４の屋内側面に沿って延びており、外壁フレーム３５は壁内空間４９に設置されていることになる。
【００３２】
また、外壁部１１においては、外壁面材３４と内壁面材４１との間に柱１３が配置されている。柱１３は、壁内空間４９よりも屋内側に配置されており、壁断熱部４８により屋外側から覆われた状態になっている。
【００３３】
窓部１２には、サッシ戸やガラス戸が取り付けられたサッシ枠５１と、そのサッシ枠５１の屋内側に配置された窓枠５２とが設けられている。この場合、サッシ枠５１を屋外側枠と称し、窓枠５２を屋内側枠と称することもできる。サッシ枠５１は、矩形枠状に形成されており、外壁フレーム３５に固定されている。サッシ枠５１は、壁高さ方向に延びる一対の縦枠部５１ａと、それら縦枠部５１ａの上端部同士を連結する上枠部５１ｂと、下端部同士を連結する下枠部５１ｃとを有している。
【００３４】
窓枠５２は、サッシ枠５１と同様に矩形枠状に形成されており、壁厚み方向においてサッシ枠５１に重ねられた状態で内壁下地４２に固定されている。窓枠５２は、サッシ枠５１と同様に、壁高さ方向に延びる一対の縦枠部５２ａと、それら縦枠部５２ａの上端部同士を連結する上枠部５２ｂと、下端部同士を連結する下枠部５２ｃとを有している。窓枠５２は、壁幅方向において柱１３に横並びに配置されている。窓枠５２の幅寸法は、その窓枠５２を挟んで隣り合う柱１３の離間距離よりも小さくされており、それら柱１３と窓枠５２との間には隙間が確保されている。なお、窓枠５２が開口枠に相当し、上枠部５２ｂ及び下枠部５２ｃが横枠部に相当する。
【００３５】
図１の説明に戻り、ランナ４３〜４６のうち、天井部１６に沿って延びている上ランナ４３と、床部１５に沿って延びている下ランナ４４とは、上下に配置された一対のランナになっている。上ランナ４３及び下ランナ４４は、断面コ字状の軽量溝形鋼により形成されている。上ランナ４３は、溝部を下方に向けた状態で、野縁２１の下面に対して固定されている。この場合、上ランナ４３は、野縁受け２３に沿って延びており、野縁２１を介して野縁受け２３に固定されていることになる。下ランナ４４は、溝部を上方に向けた状態で、床部１５の上面に対して固定されている。この場合、上ランナ４３の溝部と下ランナ４４の溝部とは互いに向かい合っている。
【００３６】
窓部１２は、上ランナ４３と下ランナ４４との間に配置されており、ランナ４３〜４６のうち、上ランナ４３と下ランナ４４との間に配置された中間ランナ４５，４６は、窓枠５２に沿って延びている。中間ランナ４５，４６は、ランナ４３，４４と同様に、断面コ字状の軽量溝形鋼により形成されている。中間ランナ４５，４６は、壁幅方向において窓枠５２よりも側方に突出していない。これに対して、上ランナ４３及び下ランナ４４は、窓枠５２よりも側方に突出している。
【００３７】
中間ランナ４５，４６のうち、窓枠５２の上側に配置された上側中間ランナ４５は、窓枠５２の上枠部５２ｂに沿って延びている。上側中間ランナ４５は、溝部を上方に向けた状態で設けられており、上枠部５２ｂは、上側中間ランナ４５の下面に固定されている。この場合、上側中間ランナ４５の溝部と上ランナ４３の溝部とは互いに向かい合っている。
【００３８】
中間ランナ４５，４６のうち、窓枠５２の下側に配置された下側中間ランナ４６は、窓枠５２の下枠部５２ｃに沿って延びている。下側中間ランナ４６は、溝部を下方に向けた状態で設けられており、下枠部５２ｃは、下側中間ランナ４６の上面に固定されている。この場合、下側中間ランナ４６の溝部と下ランナ４４の溝部とは互いに向かい合っている。
【００３９】
スタッド４７は、断面矩形状の軽量角形鋼により形成されており、中空部を有する筒状部材になっている。スタッド４７は、壁幅方向に沿って所定間隔で複数並べて設けられており、それらスタッド４７には、窓部１２に上下に並ぶ位置に設けられた短尺スタッド４７Ａと、窓枠５２と柱１３との間の隙間に設けられた隙間スタッド４７Ｂとが含まれている。
【００４０】
短尺スタッド４７Ａは、窓部１２の上方及び下方のそれぞれにおいて複数設けられている。窓部１２の上方に設けられた短尺スタッド４７Ａは、上ランナ４３と上側中間ランナ４５とに掛け渡されており、それら上ランナ４３及び上側中間ランナ４５の各溝部に入り込んでいる。一方、窓部１２の下方に設けられた短尺スタッド４７Ａは、下ランナ４４と下側中間ランナ４６とに掛け渡されており、それら下ランナ４４と下側中間ランナ４６の各溝部に入り込んでいる。なお、短尺スタッド４７Ａは、断面長方形状に形成されており、その長辺が壁幅方向に沿って延びる向きで設置されている。
【００４１】
隙間スタッド４７Ｂは、窓部１２の側方に配置されており、上ランナ４３と下ランナ４４とに掛け渡されている。この場合、隙間スタッド４７Ｂは、上ランナ４３及び下ランナ４４における窓枠５２よりも側方に突出した各部分に掛け渡されていることになる。隙間スタッド４７Ｂは、短尺スタッド４７Ａと同様に、上ランナ４３及び下ランナ４４の各溝部に入り込んでいる。なお、隙間スタッド４７Ｂは、断面長方形状に形成されており、その長辺が壁厚み方向に沿って延びる向きで設置されている。
【００４２】
窓枠５２は、内壁下地４２に固定されている。窓枠５２の縦枠部５２ａは、その側面が隙間スタッド４７Ｂの側面に重ねられた状態でその隙間スタッド４７Ｂにビス等により固定されている。上枠部５２ｂは、その上面が上側中間ランナ４５の下面に重ねられた状態でその上側中間ランナ４５にビス等により固定されている。下枠部５２ｃは、その下面が下側中間ランナ４６の上面に重ねられた状態でその下側中間ランナ４６にビス等により固定されている。
【００４３】
なお、複数の短尺スタッド４７Ａのうち隙間スタッド４７Ｂに隣り合う短尺スタッド４７Ａは、金具５９を介して隙間スタッド４７Ｂに連結されている。金具５９は、短尺スタッド４７Ａ及び隙間スタッド４７Ｂのそれぞれに対して溶接等により固定されている。
【００４４】
図２に示すように、壁厚み方向において、隙間スタッド４７Ｂの厚み寸法Ｄ１（例えば４０ｍｍ）は、上ランナ４３及び下ランナ４４の各溝部の厚み寸法Ｄ２（例えば４５ｍｍ）よりも小さくされている。なお、ランナ４３〜４６の各溝部の厚み寸法は同じにされている。つまり、中間ランナ４５，４６の各溝部の厚み寸法も隙間スタッド４７Ｂの厚み寸法Ｄ１よりも大きくなっている。また、ランナ４３〜４６は、ウェブと、そのウェブを挟んで配置された一対のフランジとを有しており、それらフランジの間の離間距離（溝部の厚み寸法）が溝部の厚み寸法になっている。
【００４５】
短尺スタッド４７Ａの厚み寸法は、ランナ４３〜４６の各溝部の厚み寸法Ｄ２とほぼ同じにされている。短尺スタッド４７Ａにおいては、屋外側面及び屋内側面の両方がランナ４３〜４６の各フランジの内側面にそれぞれ重ねられており、その重ねられた部分において短尺スタッド４７Ａがランナ４３〜４６に溶接等により固定されている。なお、短尺スタッド４７Ａが厚みスタッドに相当する。
【００４６】
これに対して、隙間スタッド４７Ｂは、その屋内側面がランナ４３，４４における屋内側フランジの内側面に重なる位置に配置されており、その重ねられた部分において隙間スタッド４７Ｂが上ランナ４３及び下ランナ４４に溶接等により固定されている。この場合、隙間スタッド４７Ｂの屋外側面は、ランナ４３，４４における屋外側フランジから屋内側に向けて離間しており、その屋外側フランジには固定されていない。したがって、ランナ４３，４４に対する隙間スタッド４７Ｂの固定強度は、隙間スタッド４７Ｂの屋内側面及び屋外側面の両方がランナ４３，４４の各フランジに固定されている構成に比べて低くなっていると考えられる。この結果、隙間スタッド４７Ｂによる窓枠５２の支持強度が低下することが懸念される。
【００４７】
そこで、本実施形態では、隙間スタッド４７Ｂが連結部材６１を介して柱１３に連結されている。これにより、隙間スタッド４７Ｂによる窓枠５２の支持強度が低下することを抑制している。連結部材６１は、隙間スタッド４７Ｂに固定されたスタッド側固定部６２と、柱１３に固定された柱側固定部６３とを有している。スタッド側固定部６２は、柱側固定部６３から壁厚み方向に沿って延びており、隙間スタッド４７Ｂにおける柱１３側の側面に重ねられた状態で、第１ビス６５により隙間スタッド４７Ｂに固定されている。柱側固定部６３は、スタッド側固定部６２から壁幅方向に沿って延びており、柱１３における屋内側面に重ねられた状態で、第２ビス６６により柱１３に固定されている。
【００４８】
ここでは、連結部材６１により連結された隙間スタッド４７Ｂと柱１３との連結構造について、図２、図３を参照しつつ説明する。図３は連結部材６１の構成を示す図であり、（ａ）に連結部材６１の斜視図を示し、（ｂ）に柱１３と隙間スタッド４７Ｂとの連結構造の分解斜視図を示す。
【００４９】
図３（ａ）に示すように、連結部材６１は、互いに直交する一対の板部を有しており、それら板部のうち一方がスタッド側固定部６２とされ、他方が柱側固定部６３とされている。連結部材６１は、短尺状のアングル材等の鋼材により形成されている。柱側固定部６３には、第２ビス６６のためのビス孔６３ａが設けられている。ビス孔６３ａは、丸孔になっており、柱側固定部６３とスタッド側固定部６２との境界部に沿って複数並べられている。
【００５０】
スタッド側固定部６２には、第１ビス６５のためのビス孔６２ａが設けられている。ビス孔６２ａは、柱側固定部６３からのスタッド側固定部６２の延出方向に沿って延びた長孔になっている。ビス孔６２ａは、柱側固定部６３とスタッド側固定部６２との境界部が延びる方向に直交して延びており、前記境界部に沿って複数並べられている。この場合、ビス孔６２ａは、壁厚み方向に沿って水平方向に延びていることになる。なお、スタッド側固定部６２のビス孔６２ａが固定孔に相当する。
【００５１】
図３（ｂ）に示すように、連結部材６１は、上下方向において所定間隔で複数並べて設けられている。連結部材６１においては、第２ビス６６が柱側固定部６３のビス孔６３ａを通じて柱１３に羅着されており、それによって、連結部材６１が柱１３に固定されている。また、第１ビス６５は、隙間スタッド４７Ｂを貫通してスタッド側固定部６２のビス孔６２ａに羅着されており、それによって、連結部材６１が隙間スタッド４７Ｂに固定されている。
【００５２】
隙間スタッド４７Ｂの外周部には、互いに対向する一対の側面部が含まれており、これら側面部のうち一方を第１ビス６５が貫通している。他方には、第１ビス６５の貫通部分と対向する位置に作業用開口６７が設けられており、その作業用開口６７を通じて第１ビス６５が隙間スタッド４７Ｂの中空部に差し入れられるとともに、第１ビス６５の羅着作業を行うためのドライバ等の工具が作業用開口６７を通じて隙間スタッド４７Ｂの中空部に差し入れられる。
【００５３】
図２に示すように、連結部材６１のスタッド側固定部６２は、屋内側から柱１３と隙間スタッド４７Ｂとの間に入り込んでおり、隙間スタッド４７Ｂの側面に重ねられている。ここで、壁幅方向において、隙間スタッド４７Ｂの幅寸法Ｗ１（例えば２５ｍｍ）は、窓枠５２の縦枠部５２ａと柱１３との離間距離Ｗ２よりも小さくされている。このように、隙間スタッド４７Ｂの幅寸法が縦枠部５２ａと柱１３との離間距離に合わせた大きさになっていなくても、連結部材６１が用いられることでその連結部材６１及び隙間スタッド４７Ｂを介して、縦枠部５２ａが柱１３に対して固定されていることになる。
【００５４】
隙間スタッド４７Ｂと柱１３との離間距離は、スタッド側固定部６２の厚み寸法よりも大きくされており、スタッド側固定部６２は、隙間スタッド４７Ｂの側面に重なった状態になっている一方で、柱１３からは隙間スタッド４７Ｂ側に離間している。なお、第１ビス６５は、スタッド側固定部６２のビス孔６２ａを貫通して柱１３側に突出しており、その突出寸法は、スタッド側固定部６２と柱１３との離間距離よりも大きくなっている。この場合、第１ビス６５は、スタッド側固定部６２だけでなく柱１３にも羅着された状態になっている。
【００５５】
内壁面材４１は、壁厚み方向において柱１３から屋内側に離間しており、その離間部分に連結部材６１の柱側固定部６３が入り込んだ状態になっている。この場合、内壁面材４１と柱１３との離間距離は、柱側固定部６３の厚み寸法より小さくされており、柱側固定部６３は内壁面材４１から屋外側に離間している。
【００５６】
連結部材６１のスタッド側固定部６２は、壁厚み方向において上ランナ４３及び下ランナ４４よりも屋外側には突出していない。連結部材６１においては、柱側固定部６３からのスタッド側固定部６２の延出寸法が、壁厚み方向における隙間スタッド４７Ｂの厚み寸法よりも小さくされている。この場合、連結部材６１は、壁断熱部４８よりも屋内側に配置されていることになる。
【００５７】
壁断熱部４８は、柱１３と窓枠５２の縦枠部５２ａとの間に屋外側から入り込んでいる隙間断熱部４８ａと、柱１３の屋外側に設けられた柱側断熱部４８ｂと、柱側断熱部４８ｂを挟んで隙間断熱部４８ａとは反対側に配置された主断熱部４８ｃとを有している。これら断熱部４８ａ〜４８ｃは、いずれも発泡系断熱材により板状に形成されており、互いの側面同士を重ねた状態で壁幅方向に沿って横並びに配置されている。つまり、断熱部４８ａ〜４８ｃは互いに連続した状態になっている。
【００５８】
隙間断熱部４８ａは、上ランナ４３及び下ランナ４４よりも屋内側には突出しておらず、隙間スタッド４７Ｂからは屋外側に離間している。隙間断熱部４８ａにおいては、柱側断熱部４８ｂ側の側面が柱１３の側面に重ねられているとともに、縦枠部５２ａの側面に重ねられており、柱１３と縦枠部５２ａとの間に断熱性を付与している。ここで、連結部材６１のスタッド側固定部６２は、隙間断熱部４８ａから屋内側に離間している。この場合、例えばスタッド側固定部６２が柱１３と隙間断熱部４８ａとの間に入り込んでいる構成とは異なり、隙間断熱部４８ａによる断熱性能がスタッド側固定部６２により低下するということがない。
【００５９】
隙間スタッド４７Ｂを柱１３に固定する作業手順について簡単に説明する。
【００６０】
まず、柱１３の屋内側面に連結部材６１の柱側固定部６３を重ね、その状態で第２ビス６６をビス孔６３ａから柱１３に打ち込むことにより、連結部材６１を柱１３に固定する。ここでは、壁幅方向において、あらかじめ窓枠５２及び隙間スタッド４７Ｂの設置位置を定めておき、スタッド側固定部６２が隙間スタッド４７Ｂの側面に当接するように、柱１３に対する連結部材６１の固定位置を決定する。
【００６１】
そして、スタッド側固定部６２の側面に当接する位置に隙間スタッド４７Ｂを配置し、第１ビス６５を隙間スタッド４７Ｂ側からスタッド側固定部６２に向けて第１ビス６５を打ち込む。ここでは、壁厚み方向において、あらかじめ内壁面材４１の設置位置を定めておき、隙間スタッド４７Ｂの屋内側側面が内壁面材４１の屋外側面に当接するように、連結部材６１に対する隙間スタッド４７Ｂの固定位置を決定する。この場合、スタッド側固定部６２のビス孔６２ａが壁厚み方向に沿って延びているため、第１ビス６５を打ち込む際に、スタッド側固定部６２に対する隙間スタッド４７Ｂの位置調整を容易に行うことができる。
【００６２】
連結部材６１を用いて隙間スタッド４７Ｂを柱１３に固定した後、その隙間スタッド４７Ｂに対して内壁面材４１や縦枠部５２ａをビス等により固定する。
【００６３】
以上詳述した本実施形態によれば、以下の優れた効果が得られる。
【００６４】
隙間スタッド４７Ｂが連結部材６１を介して柱１３に連結されているため、柱１３と窓枠５２との離間距離が隙間スタッド４７Ｂの幅寸法より大きい場合でも、隙間スタッド４７Ｂを柱１３及び窓枠５２の両方に固定することができる。この場合、柱１３と窓枠５２との離間距離よりも幅寸法の小さい汎用品を隙間スタッド４７Ｂとして使用することが可能になるため、隙間スタッド４７Ｂについてのコスト負担や作業負担を低減することができる。したがって、窓枠５２が柱１３から離間した位置に設けられていても、その窓枠５２を柱１３に好適に固定することができる。
【００６５】
連結部材６１のスタッド側固定部６２が柱１３と隙間スタッド４７Ｂとの間に入り込んでいるため、そのスタッド側固定部６２を隙間スタッド４７Ｂと内壁面材４１との間に入り込ませる必要がない。このため、内壁面材４１をビス等により隙間スタッド４７Ｂに固定する場合に、そのビス等にスタッド側固定部６２を貫通させる必要がない。これにより、スタッド側固定部６２が支障になって、内壁面材４１を固定するためのビス等を適正な状態で隙間スタッド４７Ｂに打ち込むことができない、ということを回避できる。
【００６６】
連結部材６１のスタッド側固定部６２が壁厚み方向に延びているため、隙間スタッド４７Ｂをスタッド側固定部６２に沿わせるように移動させることで、壁厚み方向における隙間スタッド４７Ｂの位置合わせ作業を容易に行うことができる。しかも、スタッド側固定部６２のビス孔６２ａが壁厚み方向に延びる長孔であるため、ビス等の打ち込み位置を、壁厚み方向における隙間スタッド４７Ｂの位置に合わせて設定することが容易になる。
【００６７】
連結部材６１の柱側固定部６３が壁幅方向に沿って延びているため、その柱側固定部６３を柱１３の側面に沿わせるように移動させることで、壁幅方向における連結部材６１の位置合わせ作業を容易に行うことができる。また、この場合、連結部材６１のスタッド側固定部６２に固定される隙間スタッド４７Ｂについても、幅方向における位置合わせ作業を容易に行うことができる。しかも、内壁面材４１が柱１３から屋内側に離間しているため、内壁面材４１を柱１３にビス等で直接固定するという構成にはなっていない。これは、内壁面材４１と柱１３との間に柱側固定部６３が入り込んでいても、柱１３に対して内壁面材４１を固定する上で柱側固定部６３が支障になりにくい構成であると言える。
【００６８】
上ランナ４３及び下ランナ４４においては、一対のフランジのうち一方にしか隙間スタッド４７Ｂが固定されていないことで、ランナ４３，４４に対する隙間スタッド４７Ｂの固定強度が不足していることが懸念されるが、隙間スタッド４７Ｂは連結部材６１を介して柱１３に固定されているため、ランナ４３，４４による隙間スタッド４７Ｂの固定強度が不足しているとしても、その不足分を柱１３に対する固定により補うことができる。
【００６９】
柱１３と窓枠５２との間が隙間スタッド４７Ｂを設置可能なほど離間している外壁部１１においても、それら柱１３と窓枠５２との間に屋外側から壁断熱部４８を入り込ませているため、柱１３と窓枠５２との隙間により外壁部１１の断熱性能が低下するということを抑制できる。
【００７０】
連結部材６１のスタッド側固定部６２が柱１３と隙間断熱部４８ａとの間に入り込んでいないため、それらの間にスタッド側固定部６２が入り込んでいる構成に比べて、上下に隣り合う連結部材６１の間において、柱１３と隙間断熱部４８ａとの間に隙間が生じにくくなっている。これにより、連結部材６１の存在により柱１３と隙間断熱部４８ａとの間に隙間が生じてその隙間により外壁部１１の断熱性能が低下するということを抑制できる。
【００７１】
壁断熱部４８においては、隙間断熱部４８ａ及び柱側断熱部４８ｂといった２つの断熱部材が壁幅方向に並べて配置されているため、柱１３の屋外側に配置された１つの断熱部材が柱１３と窓枠５２との間に入り込んでいる構成に比べて、隙間断熱部４８ａ及び柱側断熱部４８ｂが柱１３や窓枠５２の各側面に密着しやすくなっている。したがって、壁断熱部４８による外壁部１１の断熱性能を高めることができる。
【００７２】
［他の実施形態］
本発明は上記実施形態の記載内容に限定されず、例えば次のように実施されてもよい。
【００７３】
（１）外壁部１１には間仕切壁が接続されていてもよい。例えば、図４に示すように、外壁部１１に直交する間仕切壁７１が外壁部１１に接続された構成とする。間仕切壁７１は、互いに対向する一対の間仕切壁面材７２と、それら間仕切壁面材７２の間に設けられた間仕切壁下地７３とを有しており、その屋外側端面が外壁部１１の屋内面に接続されている。間仕切壁７１と外壁部１１との接続部分においては、外壁部１１の内壁面材４１に接続用開口部７５が設けられており、その接続用開口部７５を介して外壁部１１の内壁下地４２と間仕切壁７１の間仕切壁下地７３とが連結されている。また、間仕切壁７１の間仕切壁面材７２の屋外側端面は、外壁部１１の内壁面材４１の屋内面に重ねられている。
【００７４】
また、柱１３は、ラチス柱に含まれている。ラチス柱は、壁幅方向において所定間隔で配置された一対の柱１３と、それら柱１３を連結するラチス７７とを有している。外壁部１１の内部にラチス７７が設けられている構成においては、柱側断熱部４８ｂが、柱１３の屋外側だけでなくラチス７７の屋外側にも設けられている。また、内壁下地４２はラチス７７の屋内側に設けられており、その内壁下地４２の厚み寸法は、上記実施形態の内壁下地４２の厚み寸法に比べて小さくされている。例えば、ラチス７７の屋内側に設けられたスタッド４７の厚み寸法は、隙間スタッド４７Ｂの厚み寸法よりも小さくされている（例えば２５ｍｍ）。
【００７５】
（２）上記実施形態では、隙間スタッド４７Ｂが窓枠５２よりも上方及び下方に向けて突出していたが、隙間スタッド４７Ｂは、上方及び下方の少なくとも一方について窓枠５２よりも突出していなくてもよい。例えば、図５に示すように、隙間スタッド４７Ｂが、窓枠５２よりも上方及び下方の両方について突出していない構成とする。この構成では、隙間スタッド４７Ｂが上側中間ランナ４５と下側中間ランナ４６との間に設けられている。
【００７６】
柱１３と窓枠５２との間には、上側中間ランナ４５の下側に設けられた上側接続ランナ８１と、下側中間ランナ４６の上側に設けられた下側接続ランナ８２とが設けられており、隙間スタッド４７Ｂは、これら接続ランナ８１，８２に掛け渡された状態になっている。上側接続ランナ８１は、溝部を下方に向けた状態で上側中間ランナ４５の下面に固定されており、下側接続ランナ８２は、溝部を上方に向けた状態で下側中間ランナ４６の上面に固定されている。
【００７７】
隙間スタッド４７Ｂは、上ランナ４３及び下ランナ４４に固定された構成と同じように、接続ランナ８１，８２の溝部内に入り込んだ状態で溶接等により接続ランナ８１，８２に固定されている。ここで、接続ランナ８１，８２は、ランナ４３〜４６よりも壁厚み方向における厚み寸法が隙間スタッド４７Ｂの厚み寸法に合わせて小さくされている。この場合、接続ランナ８１，８２においては、一対のフランジの両方に対して隙間スタッド４７Ｂの側面が重ねられており、その重ねられた部分が溶接等により固定されている。これにより、隙間スタッド４７Ｂは、接続ランナ８１，８２を介して中間ランナ４５，４６に強固に固定されていることになる。
【００７８】
なお、隙間スタッド４７Ｂの上方及び下方には短尺スタッド４７Ａが設置されており、この短尺スタッド４７Ａと隙間スタッド４７Ｂとは上下に並べて配置されている。
【００７９】
また、隙間スタッド４７Ｂは、窓枠５２よりも上方及び下方のうち一方にだけ突出していてもよい。例えば、隙間スタッド４７Ｂが窓枠５２の上方に突出している場合、その隙間スタッド４７Ｂは、上ランナ４３と下側接続ランナ８２に掛け渡されていることが好ましい。また、隙間スタッド４７Ｂが窓枠５２の下方に突出している場合、その隙間スタッド４７Ｂは、下ランナ４４と上側接続ランナ８１に掛け渡されていることが好ましい。
【００８０】
（３）上記実施形態では、隙間スタッド４７Ｂがその長辺を壁幅方向に直交させる向きで設けられていたが、隙間スタッド４７Ｂは、図６に示すように、その長辺が壁幅方向に沿って延びる向きで設けられていてもよい。この構成では、窓枠５２の縦枠部５２ａが石膏ボードにより形成され、壁幅方向における幅寸法が上記実施形態の縦枠部５２ａよりも小さくなっており、それに伴って、縦枠部５２ａと柱１３との離間距離が大きくなっている。このため、隙間スタッド４７Ｂを、その長辺が壁幅方向に沿って延びる向きで設置することが可能になっている。
【００８１】
連結部材６１においては、柱側固定部６３のビス孔６３ａが壁幅方向に沿って延びた長孔になっており、スタッド側固定部６２のビス孔６２ａが第１ビス６５の羅着された丸孔になっている。また、第１ビス６５は柱１３には羅着されていない。この場合、第１ビス６５においては、スタッド側固定部６２から柱１３側への突出部分の長さ寸法が、スタッド側固定部６２と柱１３との離間距離よりも小さくなっている。なお、ビス孔６２ａ，６３ａの少なくとも一方が水平方向、又は水平方向に傾斜した方向に延びる長孔とされていれば、ビス６５，６６の打ち込み位置を変更することが容易になる。
【００８２】
（４）上記実施形態では、隙間スタッド４７Ｂと連結部材６１のスタッド側固定部６２とは第１ビス６５を用いてビス固定されていたが、隙間スタッド４７Ｂとスタッド側固定部６２とは、ボルト固定されていてもよい。例えば、隙間スタッド４７Ｂにおける連結部材６１側の側面部にボルト孔が形成されており、そのボルト孔に隙間スタッド４７Ｂの中空部側からボルトが挿し入れられ、そのボルトが、連結部材６１のスタッド側固定部６２を挟んで隙間スタッド４７Ｂとは反対側に配置されたナットに羅着された構成とする。この構成では、ボルトをスタッド側固定部６２のビス孔６２ａの挿通した状態で壁厚み方向に移動させることで、柱１３に対するスタッド側固定部６２の位置を壁厚み方向に沿って調整することが容易になっている。
【００８３】
（５）上記実施形態では、連結部材６１のスタッド側固定部６２が柱１３と隙間スタッド４７Ｂとの間に入り込んでいたが、スタッド側固定部６２は、柱１３と隙間スタッド４７Ｂとの間に入り込んでいなくてもよい。例えば、スタッド側固定部６２が、隙間スタッド４７Ｂの屋内側や屋外側に配置された構成とする。スタッド側固定部６２が、隙間スタッド４７Ｂの屋内側に配置されている場合、そのスタッド側固定部６２は、隙間スタッド４７Ｂにおける屋内側面に重ねられており、その重ねられた部分が溶接等により固定されている。この場合、スタッド側固定部６２は、隙間スタッド４７Ｂと内壁面材４１との間に挟まった状態になっている。
【００８４】
（６）連結部材６１の柱側固定部６３は、柱１３における屋外側面に重ねられていてもよい。また、連結部材６１においては、柱側固定部６３が柱１３の屋内側及び屋外側のそれぞれに設けられていてもよい。例えば、連結部材６１が、スタッド側固定部６２を挟んで対向する一対の柱側固定部６３を有していてもよい。
【００８５】
（７）連結部材６１の柱側固定部６３は、柱１３と隙間スタッド４７Ｂとの間に配置されていてもよい。この場合、スタッド側固定部６２は、柱１３と隙間スタッド４７Ｂとの間ではなく、隙間スタッド４７Ｂの屋内側や屋外側に配置されていることが好ましい。
【００８６】
（８）連結部材６１のスタッド側固定部６２は、内壁下地４２よりも屋外側に突出していてもよい。この場合でも、スタッド側固定部６２が柱１３と隙間断熱部４８ａとの間に入り込んでいないことが、外壁部１１の断熱性能を保持する上で好ましい。
【００８７】
（９）連結部材６１は、柱１３及び隙間スタッド４７Ｂに沿って上下方向に延びていてもよい。例えば、連結部材６１が、隙間スタッド４７Ｂとほぼ同じ長さ寸法を有し、上ランナ４３と下ランナ４４とに掛け渡され状態になっている構成とする。
【００８８】
（１０）窓部１２が壁開口部とされているのではなく、玄関口等の出入口が壁開口部とされていてもよい。この場合でも、出入口に出入口枠等の開口枠が取り付けられていることで、その開口枠の縦枠部と柱との間に隙間スタッドを設けた構成を実現できる。
【００８９】
（１１）外壁部１１が壁部とされているのではなく、屋内空間を仕切る間仕切壁部が壁部とされていてもよい。この場合でも、間仕切壁部の壁開口部に開口枠が取り付けられていることで、その開口枠の縦枠部と柱との間に隙間スタッドを設けた構成を実現できる。
【符号の説明】
【００９０】
１１…壁部としての外壁部、１２…壁開口部としての窓部、１３…柱、４１…壁面材としての内壁面材、４３…ランナとしての上ランナ、４４…ランナとしての下ランナ、４５…ランナとしての上側中間ランナ、４６…ランナとしての下側中間ランナ、４７…スタッド、４７Ａ…厚みスタッドとしての短尺スタッド、４７Ｂ…隙間スタッド、４８…壁断熱部、４８ａ…隙間断熱部、４８ｂ…柱側断熱部、５２…開口枠としての窓枠、５２ａ…縦枠部、５２ｂ…横枠部としての上枠部、５２ｃ…横枠部としての下枠部、６１…連結部材、６２…スタッド側固定部、６２ａ…固定孔としてのビス孔、６３…柱側固定部。
【図１】
2014189983.tif 000003
【図２】
2014189983.tif 000004
【図３】
2014189983.tif 000005
【図４】
2014189983.tif 000006
【図５】
2014189983.tif 000007
【図６】
2014189983.tif 000008